(57)【要約】【課題】ハウジングを大型化することなくカードの検知位置の設定の自由度を向上させることができるカード用コネクタを提供すること。【解決手段】検知スイッチ１０はカードにより直接に押圧され回動操作される絶縁性のレバー１１と、このレバー１１を初期姿勢の方向に付勢するトーションスプリング１４と、レバー１１と一体的に回動しハウジング本体３の底部３ａに対して摺接するトーションスプリング１４と一体の可動導電部と、ハウジング２の前端で底部３ａに対し起立しトーションスプリング１４を介して可動導電部と常時導通した第１固定導電部１６と、可動導電部の回動範囲内で底部３ａ側に第２固定導電部１７Ａ，１７Ｂおよび絶縁部１８とを有する。可動導電部はレバー１１と一体的に挿入方向に回動し、第２固定導電部１７Ａ、絶縁部１８、第２固定導電部１７Ｂに順次接触する。【選択図】図３
2010015876.tif 000002
【特許請求の範囲】
【請求項１】
カードが挿入されるハウジングと、前記ハウジング内で前記カードを検知するレバー操作式の検知スイッチとを備え、
前記検知スイッチは、前記カードにより直接または間接的に押圧されて回動操作される絶縁性のレバーと、このレバーを所定の初期姿勢の方向に付勢する付勢部材と、前記レバーと一体的に回動し前記ハウジングの底部に沿って回動する可動導電部と、前記カードの挿入方向における前記ハウジングの前端において前記ハウジングの底部に対して起立し前記可動導電部と常時導通した第１固定導電部と、前記可動導電部の回動範囲内において前記ハウジングの底部側に設けられている第２固定導電部と、前記可動導電部の回動範囲内において前記ハウジングの底部側で前記第２固定導電部と隣り合って位置する絶縁部とを有し、
前記第２固定導電部および前記絶縁部の配置は、前記可動導電部が前記レバーの回動に伴い、前記検知スイッチの状態を前記絶縁部に接触したオフ状態から前記第２固定導電部に接触したオン状態に変移させ、または、前記オン状態から前記オフ状態に変移させるよう設定され、
前記オン状態または前記オフ状態は、前記カードが前記ハウジングに対して所定位置にある状態とが対応付けられた
ことを特徴とするカード用コネクタ。
【請求項２】
請求項１に記載の発明において、
前記付勢部材は導電性のトーションスプリングであり、
前記トーションスプリングの一方の腕部が前記第１固定導電部に常時導通していて、他方の腕部が前記可動電導部と導通している
ことを特徴とするカード用コネクタ。
【請求項３】
請求項２に記載の発明において、
前記可動電動部は前記トーションスプリングの他方の腕部に一体に形成されている
ことを特徴とするカード用コネクタ。
【請求項４】
請求項２に記載の発明において、
前記可動導電部は前記トーションスプリングと別体であり、
前記可動導電部には、前記トーションスプリングの弾性力に抗して前記トーションスプリングの他方の腕部を係止する係止部が形成されている
ことを特徴とするカード用コネクタ。
【請求項５】
請求項１〜請求項４のいずれか１項に記載の発明において、
前記検知スイッチは、前記可動導電部および前記第１固定導電部に対して複数の前記第２固定導電部を有し、これら複数の第２固定導電部と前記絶縁部とは交互に配列され、前記複数の第２固定導電部のそれぞれに対して前記可動導電部が接触したオン状態のそれぞれは、異なる導電路を形成する
ことを特徴とするカード用コネクタ。
【請求項６】
請求項５に記載の発明において、
前記複数の第２固定導電部と前記絶縁部との配列は、前記レバーの初期姿勢に対応付けられた第１導電路と、前記レバーが初期姿勢から前記挿入方向に限界角度まで回動したフル操作姿勢に対応付けられた第２導電路とが形成されるよう設定された
ことを特徴とするカード用コネクタ。
【発明の詳細な説明】
【技術分野】
【０００１】
本発明は、カードをハウジングに挿入して装着するカード用コネクタであって、ハウジング内でカードの挿入を検知するレバー操作式の検知スイッチを備えたカード用コネクタに関する。
【背景技術】
【０００２】
この種の従来のカード用コネクタにおいて、カードにより直接押圧されて回動操作される絶縁性のレバーと、このレバーを所定の初期姿勢の方向に付勢する付勢部材とが設けられている。カードの挿入方向におけるハウジングの前端にはハウジングの底部から起立した壁面が設けられている。レバーには可動導電部が、そのレバーと一体的に回動可能に設けられている。その可動導電部はレバーが初期姿勢をとった状態において壁面から離れて位置し、カードによるレバーの回動操作に伴ってその壁面に接触する。その壁面は、ハウジングの幅方向に間隔をあけて並んだ第１，第２固定導電部を含んでいる。可動導電部は第１固定導電部に常時導通していて、カードによるレバーの回動操作に伴い第２固定導電部に接触する。つまり、レバーと付勢部材と可動導電部と第１固定導電部と第２固定導電部とから、ハウジング内でカードの挿入を検知する検知スイッチが構成されている。
【０００３】
付勢部材および可動導電部はそれぞれ別個の導電性のトーションスプリングで構成されている。これらのトーションスプリングは、ハウジングの底部に平行な方向に弾性変形する姿勢でレバーの長手方向に並んで位置し、一体に形成されている。ここでは、付勢部材を構成しているトーションスプリングを付勢トーションスプリングと呼称し、可動導電部を構成しているトーションスプリングを可動トーションスプリングと呼称して、これらのトーションスプリングについて説明する。
【０００４】
付勢トーションスプリングはハウジングとレバーとの間でレバーを初期姿勢の方向に付勢するよう設けられていることに加えて、一方の腕部が第１固定導電部に常時接触した状態に保持されている。可動トーションスプリングは一方の腕部において、付勢トーションスプリングの他方の腕部と電気的に導通していて、これによって第１固定導電部と常時導通している。
【０００５】
可動トーションスプリングの他方の端部は、レバーが初期姿勢をとった状態において第２固定導電部から離れて位置している。レバーがカードに押圧されて回動操作されたことで初期姿勢（回動角度０°）から所定角度だけ回動すると、すなわちカードがハウジングに対して所定位置まで挿入されると、可動トーションスプリングの他方の腕部は第２固定導電部に接触し、これにより第１，第２固定導電部が付勢トーションスプリングと可動トーションスプリングとを介して導通する。つまりカードの挿入が検知される。その後、可動トーションスプリングは他方の腕部が第２固定部材に押し付けられることで弾性変形し、これによって、カードによるレバーの回動操作、すなわち、所定位置よりも前方へのカードの移動が許容される。
【０００６】
ここで説明した従来のカード用コネクタについては特許文献１を参照されたい。
【特許文献１】特開２００５−１３４９７８号公報
【発明の開示】
【発明が解決しようとする課題】
【０００７】
前述したように、従来のカード用コネクタにおける検知スイッチは、カードがハウジング内の所定位置まで挿入されると可動導電部が第２固定導電部に接触してオンする。そして、可動トーションスプリングの弾性変形によってカードが所定位置よりも前方に挿入されることを許容する。
【０００８】
カード用コネクタの検知スイッチに対しては、カードを検知する位置（以下「検知位置」という）の設定の自由度を向上させることが要望されている。前述した従来のカード用コネクタの検知スイッチにおいて、検知位置をカードの挿入方向と反対方向にずらす変更を行う場合、レバーが初期姿勢をとった状態における可動トーションスプリングの他端と第２固定導電部との距離が短くなるよう可動トーションスプリングの他端側を延長することが考えられる。この場合、カードの装着に必要なハウジングに対するカードの挿入方向への移動量は検知位置が変更されても変わらないので、検知位置を挿入方向と反対方向にずらした分だけ、ハウジング内における検知位置から前方へのカードの移動量は長くなる。これに伴い、可動トーションスプリングとしては、その長くなったカードの移動量を許容するだけの弾性変形が可能なものを用いなければならず、その可動トーションスプリングは検知位置をずらす前に用いていたものよりも、巻き数が増加したものになる。そして、巻き数が増加した可動トーションスプリングを用いるためには、この可動トーションスプリングの格納スペースを確保するためにハウジングを大型化することが必要になる。このことは最近のカード用コネクタの小型化の傾向に反するため、好ましくない。
【０００９】
本発明は前述の事情を考慮してなされたものであり、その目的は、ハウジングを大型化することなく、カードの検知位置の設定の自由度を向上させることができるカード用コネクタを提供することにある。
【課題を解決するための手段】
【００１０】
本発明は前述の目的を達成するために次のように構成されている。
【００１１】
〔１〕  本発明は、カードが挿入されるハウジングと、前記ハウジング内で前記カードを検知するレバー操作式の検知スイッチとを備え、前記検知スイッチは、前記カードにより直接または間接的に押圧されて回動操作される絶縁性のレバーと、このレバーを所定の初期姿勢の方向に付勢する付勢部材と、前記レバーと一体的に回動し前記ハウジングの底部に沿って回動する可動導電部と、前記カードの挿入方向における前記ハウジングの前端において前記ハウジングの底部に対して起立し前記可動導電部と常時導通した第１固定導電部と、前記可動導電部の回動範囲内において前記ハウジングの底部側に設けられている第２固定導電部と、前記可動導電部の回動範囲内において前記ハウジングの底部側で前記第２固定導電部と隣り合って位置する絶縁部とを有し、
前記第２固定導電部および前記絶縁部の配置は、前記可動導電部が前記レバーの回動に伴い、前記検知スイッチの状態を前記絶縁部に接触したオフ状態から前記第２固定導電部に接触したオン状態に変移させ、または、前記オン状態から前記オフ状態に変移させるよう設定され、
前記オン状態または前記オフ状態は、前記カードが前記ハウジングに対して所定位置にある状態とが対応付けられた
ことを特徴とするカード用コネクタ。
【００１２】
この「〔１〕」に記載の本発明は、可動導電部がレバーと一体的に回動しハウジングの底部に沿って回動するようになっている。そして、第２固定導電部および絶縁部が、可動導電部の回動範囲内においてハウジングの底部側で互いに隣り合って位置している。これらにより、カードの検知後のカードの挿入方向への移動の許容を、可動導電部の弾性変形によることなく実現できる。したがって、ハウジングを大型化することなく、カードの検知位置の設定の自由度を向上させることができる。
【００１３】
〔２〕  本発明は、「〔１〕」に記載の発明において、前記付勢部材は導電性のトーションスプリングであり、前記トーションスプリングの一方の腕部が前記第１固定導電部に常時導通していて、他方の腕部が前記可動電導部と導通していることを特徴とする。
【００１４】
この「〔２〕」に記載の本発明によれば、付勢部材としてのトーションスプリングが第１固定導電部と可動導電部とを導通させるための部材を兼ねているので、部品点数の削減に貢献できる。
【００１５】
〔３〕  本発明は「〔２〕」に記載の発明において、前記可動電動部は前記トーションスプリングの他方の腕部に一体に形成されていることを特徴とする。
【００１６】
この「〔３〕」に記載の本発明によれば、可動導電部としてトーションスプリングと別個の部材を用いる必要がないので、部品点数の削減に貢献できる。
【００１７】
〔４〕  本発明は「〔２〕」に記載の発明において、前記可動導電部は前記トーションスプリングと別体であり、前記可動導電部には、前記トーションスプリングの弾性力に抗して前記トーションスプリングの他方の腕部を係止する係止部が形成されていることを特徴とする。
【００１８】
この「〔４〕」に記載の本発明によれば、レバーにトーションスプリングの他方の腕部に対する係止部を設けなくて済む。また、可動導電部の係止部にトーションスプリングの他方の腕部がトーションスプリングの弾性力により押し付けられるので、可動導電部とトーションスプリングとを確実に導通させることができる。さらに、可動導電部とトーションスプリングとを導通させるための部材を必要としないので、部品点数の削減に貢献できる。
【００１９】
〔５〕  本発明は「〔１〕」〜「〔４〕」のいずれか１に記載の発明において、前記検知スイッチは、前記可動導電部および前記第１固定導電部に対して複数の前記第２固定導電部を有し、これら複数の第２固定導電部と前記絶縁部とは交互に配列され、前記複数の第２固定導電部のそれぞれに対して前記可動導電部が接触したオン状態のそれぞれは、異なる導電路を形成することを特徴とする。
【００２０】
この「〔５〕」に記載の本発明によれば、複数の第２固定導電部のそれぞれに対して可動導電部が接触したオン状態のそれぞれにおいて異なる電気信号を生成できる。したがって、ハウジングに対するカードの複数の所定位置のそれぞれについて、カードを検知することができる。
【００２１】
〔６〕  本発明は「〔５〕」に記載の発明において、前記複数の第２固定導電部と前記絶縁部との配列は、前記レバーの初期姿勢に対応付けられた第１導電路と、前記レバーが初期姿勢から前記挿入方向に限界角度まで回動したフル操作姿勢に対応付けられた第２導電路とが形成されるよう設定されたことを特徴とする。
【００２２】
この「〔６〕」に記載の本発明は、第１導電路が形成された状態であることによって、カードがレバーを操作する位置にないことを検知できる。また、第１導電路が形成された状態から第１，第２導電路のいずれも形成されなくなることによって、初期姿勢のレバーを回動操作し始める操作初期位置にカードがあることを検知できる。また、第１，第２導電路のいずれも形成されていない状態から第２導電路が形成されることによって、挿入の限界位置にカードがあることを検知できる。
【発明の効果】
【００２３】
本発明によれば、前述したように、ハウジングを大型化することなく、カードの検知位置の設定の自由度を向上させることができる。
【発明を実施するための最良の形態】
【００２４】
本発明の第１実施形態に係るカード用コネクタについて図を用いて説明する。図１は本発明の第１実施形態に係るカード用コネクタの右後斜め上方から見たときの斜視図である。図２は図１に示したカード用コネクタからカバーを取り除いた状態の上面図である。図３は図２に示した検知スイッチおよびその周辺を左前斜め上方から見たときの拡大斜視図である。図４−１は図２に示したレバーおよびトーションスプリングの組立物の上面拡大図である。図４−２は図４−１に示した組立物の背面図である。図４−３は図４−１に示した組立物を右後斜め下方から見た状態の斜視図である。図５は図２に示したカード用コネクタからレバーおよびトーションスプリングを取り除いた状態の上面図である。図６−１は図２に示したカード用コネクタからレバーを取り除いた状態であって可動導電部が後方の第２固定導電部に接触した状態の拡大上面図である。図６−２は図２に示したカード用コネクタからレバーを取り除いた状態であって可動導電部が後方の第２固定導電部と前方の第２固定導電部との間の絶縁部に接触した状態の上面図である。図６−３は図２に示したカード用コネクタからレバーを取り除いた状態であって可動導電部が前方の第２固定導電部に接触した状態の拡大上面図である。図７−１はカードがハウジングの排出位置にある状態を示す図２に対応する上面図である。図７−２はカードがハウジングの挿入の限界位置にある状態を示す図２に対応する上面図である。図７−３はカードがハウジングの装着位置にある状態を示す図２に対応する上面図である。
【００２５】
図１に示すように、第１実施形態に係るカード用コネクタ１はハウジング２を備えている。このハウジング２の挿入口２ａからカード４０（図７−１参照）が挿入され装着される。ハウジング２は、合成樹脂製のハウジング本体３と、このハウジング本体３の上面および左右両側部を覆う金属製のカバー部材４とが結合してなる。
【００２６】
図２に示すように、ハウジング本体３はハウジング２の底部３ａを有する。この底部３ａには、ハウジングの幅方向（図２の左右方向）に並んだ複数の端子から構成された端子列５が、インサート成形により固着されている。端子列５におけるすべての端子は、カード４０の挿入方向に延びて底部３ａに交差する方向に可撓な片持ち梁状に形成されていて、底部３ａ側からハウジング２内に突出している。カード４０の一面（図７−１等に示す面の裏面）には、図示しないが端子列５と対応する配列の端子列が設けられている。端子列５の端子のそれぞれは、その可撓性により、ハウジング２内の所定位置である装着位置（図７−３に示す位置）にカード４０が位置した状態において、カード４０の端子列の端子のそれぞれに押し付けられる。
【００２７】
図２，３に示すように、カード４０の挿入方向におけるハウジング２内の前端部には、ハウジング２内でカード４０を検知するレバー操作式の検知スイッチ１０が設けられている。この検知スイッチ１０は、カード４０により直接押圧されて挿入方向に回動操作されるレバー１１を有する。このレバー１１は合成樹脂製の絶縁体である。このレバー１１の長手方向の一端部には、下側で開口した円筒面を形成している軸挿入部１１ａが形成されている。ハウジング本体３の前端部の左端には、回動軸部１２が底部３ａから上方向に突出して形成されている。回動軸部１２が軸挿入部１１ａに挿入されることによって、レバー１１はハウジング本体３に対して回動可能に支持されている。また、レバー１１の一端部からは鍔部１１ｂが突出している。ハウジング本体３には、この鍔部１１ｂに上方から重なって位置し鍔部１１ｂの上方向の移動を阻止する阻止部１３が形成されている。さらに、この阻止部１３は、鍔部１１ｂの上方向の移動を阻止することによって、軸挿入部１１ａ側と反対側のレバー１１の端部がハウジング本体３の底部３ａに近づく方向にがたつくのを防止している。
【００２８】
図４−２，図４−３に示すように、レバー１１には軸部１１ｃが下方向に突出して形成されている。図５に示すように、底部３ａには、回動軸部１２周りの円弧状の長孔からなる可動範囲規定部１９が形成されている。この可動範囲規定部１９には軸部１１ｃが挿入されていて、この軸部１１ｃの回動軸部１２周りの可動範囲を規定することによって、レバー１１の可動範囲が規定されている。また、軸部１１ｃは導電性のトーションスプリング１４のコイル部１４ａに挿入されている。コイル部１４ａの下部からは、トーションスプリング１４の一端側を形成している腕部１４ｂが延びている。この腕部１４ｂは、図４−１に示すように、レバー１１の前方側に突出している。この腕部１４ｂは、その前側を山折り側として屈曲している。
【００２９】
コイル部１４ａの上部からは、トーションスプリング１４の他端側を形成している腕部１４ｃが、レバー１１の長手方向に沿って延びている。この腕部１４ｃの先端からは可動導電部１５がレバー１１の長手方向に延びている。この可動導電部１５はハウジング本体３の底部３ａ側（下側）を山折り側として屈曲している。可動導電部１５の頂部１５ａはハウジング本体３の底部３ａに接触して位置する。腕部１４ｃと可動導電部１５とは全体として、コイル部１４ａ側の端部を固定端とする片持ち梁状のバネを構成していて、このバネの弾性力により、可動導電部１５の頂部１５ａはハウジング本体３の底部３ａ側に押し付けられている。
【００３０】
図４−３に示すように、レバー１１の軸挿入部１１ａ側と反対側の端部には、トーションスプリング１４のレバー１１に対する軸部１１ｃ周りの回動を規制する規制部１１ｄが形成されている。この規制部１１ｄは、レバー１１の軸挿入部１１ａ側に凹んだ凹部であり、可動導電部１５の腕部１４ｃ側と反対側の端部が挿入されている。規制部１１ｄの後側の内壁面は、トーションスプリング１４のレバー１１に対する後方向への回動を係止する。規制部１１ｄの前側の内壁面は、トーションスプリング１４のレバー１１に対する前方への回動を係止する。
【００３１】
図３に示すように、ハウジング２の前端には、第１固定導電部１６がハウジング本体３の底部３ａに対し起立して設けられている。この第１固定導電部１６には、トーションスプリング１４の腕部１４ｂの山折り側が後方から常時接触している。これにより、第１固定導電部１６と可動導電部１５は常時導通している。第１固定導電部１６はハウジング本体３の前端から突出した外部端子２０と一体に形成されていて、インサート成形によりハウジング本体３に固着されている。
【００３２】
トーションスプリング１４は、腕部１４ｂの前方向への移動を第１固定導電部１６により阻止されるとともに、規制部１１ｄによりレバー１１に対する軸部１１ｃ周りの回動が阻止されているので、レバー１１を所定の初期姿勢（図２に示す姿勢）の方向に付勢する付勢部材として機能するようになっている（図６−１〜図６−３参照）。
【００３３】
図５，図６−１〜図６−３に示すように、可動導電部１５の回動範囲内におけるハウジング本体３の底部３ａの部分は、複数例えば２つの第２固定導電部１７Ａ，１７Ｂと、絶縁部１８とから形成されている。つまり、可動導電部１５および第１固定導電部１６に対して、２つの第２固定導電部１７Ａ，１７Ｂが設けられている。これら第２固定導電部１７Ａ，１７Ｂと絶縁部１８とは交互に配列されている。第２固定導電部１７Ａ，１７Ｂはそれぞれ、ハウジング本体３の前端から突出した外部端子２１，２２のそれぞれと一体に形成されていて、インサート成形によりハウジング本体３に固着されている。絶縁部１８はハウジング本体３を形成している樹脂の一部である。第２固定導電部１７Ａに対して可動導電部１５が接触した第１オン状態では、外部端子２０と外部端子２１とが導通する第１導電路が形成される。第２固定導電部１７Ｂに対して可動導電部１５が接触した第２オン状態では、外部端子２０と外部端子２２とが導通する第２導電路が形成される。第１導電路は、レバー１１の姿勢が初期姿勢（図２に示す姿勢）である状態に対応付けられている。第２導電路はレバー１１が初期姿勢（回動角度０°）から図６−２に示すように限界角度まで回動したフル操作姿勢となった状態に対応付けられている。
【００３４】
ハウジング本体３の右側部には、カード４０の排出機構３０が設けられている。この排出機構３０は、ハウジング２内でカード４０の挿入方向および排出方向にスライド可能なスライダ３１と、ハウジング本体３とスライダ３１との間でスライダ３１を初期位置（図２に示す位置）の方向に付勢する復帰バネ３２と、カード４０の押込み操作によるスライダ３１のロックおよびロック解除を可能にするハート型カム機構３３とから構成されている。
【００３５】
スライダ３１は、カード４０の挿入軌道上に突出した被押圧操作部３１ａを有する。この被押圧操作部３１ａがカード４０の前端部により押圧されることによって、スライダ３１は復帰バネ３２の弾性力に抗してカード４０と一体的に挿入方向に移動するようになっている。なお、図示しないが、スライダ３１には、カード４０の前端部が被押圧操作部３１ａに当接した状態において、スライダ３１に対するカード４０の排出方向への移動を抑制する機構が設けられている。
【００３６】
ハート型カム機構３３は、スライダ３１に形成されたハート型カム溝３３ａと、このハート型カム溝３３ａに沿って移動する一端を有し他端側でハウジング本体３に回動可能に支持された回動ピン３３ｂとを有する。カバー部材４には、図１に示すように板バネ部３４が形成されている。この板バネ部３４は回動ピン３３ｂを上方から押圧して、この回動ピン３３ｂの一端をハート型カム溝３３ａの底部に押し付けている。
【００３７】
このように構成された本実施形態に係るカード用コネクタ１の動作について、図６−１〜図６−３および図７−１〜図７−３を用いて説明する。
【００３８】
ユーザーがカード４０を挿入口２ａからハウジング２に挿入すると、図７−１に示すように、カード４０の前端部は、初期位置にあるスライダ３１の被押圧操作部３１ａに当接する。このとき、レバー１１はカード４０の前端部により回動操作されていない。つまり、検知スイッチ１０は、レバー１１の姿勢が初期姿勢であり、図６−１に示すように、可動導電部１５が第２固定導電部１７Ａに接触した第１オン状態、すなわち、第１固定導電部１６と第２固定導電部１７Ａとが導通した状態となっている。
【００３９】
その後、ユーザーがカード４０の挿入方向への押圧を継続する。これにより、図７−２に示すように、カード４０とスライダ３１とが一体的に、復帰バネ３２の弾性力に抗して挿入方向の限界位置まで移動する。このようにカード４０とスライダ３１とが限界位置まで移動する間、レバー１１がカード４０の前端部により押圧されて、初期姿勢から挿入方向に限界角度まで回動操作されたフル操作姿勢となる。このレバー１１の姿勢の変化に伴い、検知スイッチ１０は、図６−１に示すように可動導電部１５が第２固定導電部１７Ａに接触した第１オン状態から、図６−３に示すように絶縁部１８に接触したオフ状態に変移し、さらに、図６−２に示すように可動導電部１５が第２固定導電部１７Ｂに接触した第２オン状態、すなわち、第１固定導電部１６と第２固定導電部１７Ｂとが導通した状態に変移する。
【００４０】
前述のようにカード４０をハウジング２の限界位置まで挿入したとき、ユーザーは、カード４０に対する挿入方向の押圧力の付与をやめる。これに伴い、スライダ３１とカード４０とは復帰バネ３２の弾性力により排出方向に押し動かされる。これにより、スライダ３１は図７−３に示すように装着位置まで移動し、この装着位置でハート型カム機構３３により復帰バネ３２の弾性力に抗してロックされ停止する。これに伴いカード４０も停止し、ハウジング２に対するカード４０の装着が完了する。このようにカード４０が排出方向に移動して停止するまで間、レバー１１は、カード４０の排出方向への移動に伴い初期姿勢の方向への回動を許可されてトーションスプリング１４の弾性力により初期姿勢の方向に回動し、その後、カード４０の停止に伴い初期姿勢の方向への回動をカード４０の前端部により阻止されてトーションスプリング１４の弾性力に抗して停止する。このとき、可動導電部１５は絶縁部１８に接触して検知スイッチ１０のオフ状態を形成している。
【００４１】
第１実施形態に係るカード用コネクタ１によれば次の効果を得られる。
【００４２】
カード用コネクタ１において、可動導電部１５はレバー１１と一体的にハウジング本体３の底部３ａに沿って回動するようになっている。そして、第２固定導電部１７Ａ，１７Ｂおよび絶縁部１８は、可動導電部１５の回動範囲内においてハウジング本体３の底部３ａ側で互いに隣り合って位置している。これらにより、カード４０の検知後のカード４０の挿入方向への移動の許容を、可動導電部１５の弾性変形によることなく実現できる。したがって、ハウジング２を大型化することなく、カード４０の検知位置の設定の自由度を向上させることができる。
【００４３】
カード用コネクタ１において、付勢部材としてのトーションスプリング１４は第１固定導電部１６と可動導電部１５とを導通させるための部材を兼ねているので、部品点数の削減に貢献できる。
【００４４】
カード用コネクタ１において、可動導電部１５がトーションスプリング１４の腕部１４ｃに一体に形成されている。これにより、可動導電部としてトーションスプリング１４と別個の部材を用いる必要がないので、部品点数の削減に貢献できる。
【００４５】
カード用コネクタ１において、検知スイッチ１０は、可動導電部１５および第１固定導電部１６に対して２つの第２固定導電部１７Ａ，１７Ｂを有し、これらの第２固定導電部１７Ａ，１７Ｂと絶縁部１８とは交互に配列されている。そして、第２固定導電部１７Ａ，１７Ｂのそれぞれに対して可動導電部１５が接触した第１，第２オン状態のそれぞれは、異なる導電路（第１，第２導電路）を形成する。これにより、第１，第２オン状態のそれぞれにおいて異なる電気信号を生成できる。したがって、第１導電路が形成された状態であることによって、カード４０がレバー１１を操作する位置にないことを検知できる。また、第１導電路が形成された状態から第１，第２導電路のいずれも形成されなくなった状態への移行によって、初期姿勢のレバー１１を回動操作し始める操作初期位置にカード４０があることを検知できる。また、第１，第２導電路のいずれも形成されていない状態から第２導電路が形成された状態への移行によって、挿入の限界位置にカード４０があることを検知できる。
【００４６】
なお、本発明は前述の第１実施形態に係るカード用コネクタ１に限定されるものではなく、次のようなものであってもよい。
【００４７】
第１実施形態に係るカード用コネクタ１においては、レバー１１がカード４０により直接押圧されて回動操作されるようになっているが、本発明の構成はこれに限定されるものではない。レバーがカードにより間接的に押圧されて、つまり、カードの挿入に伴って動作する部材、例えば排出機構のスライダを介して間接的に押圧されて回動操作されるようになっていてもよい。
【００４８】
第１実施形態に係るカード用コネクタ１においては、２つの第２固定導電部１７Ａ，１７Ｂを備えていたが、本発明は第２固定導電部の数を限定しない。第２固定導電部１７Ａ，１７Ｂのいずれか一方のみを備えるものであってもよい。また、絶縁部１８と第２固定導電部１７Ａ，１７Ｂとの配置が入れ替わったものであってもよい。
【００４９】
〔第２実施形態〕
本発明の第２実施形態に係るカード用コネクタについて図８−１，図８−２を用いて説明する。図８−１は本発明の第２実施形態に係るカード用コネクタに備えられたレバーとトーションスプリングと可動導電部材との組立物の上面図である。図８−２は図８−１に示した組立物の右後斜め下方から見たときの斜視図である。図８−１，図８−２において、図４−１〜図４−３に示したものと同等のものには、それら図４−１〜図４−３に示したものと同じ符号を付してある。
【００５０】
第２実施形態に係るカード用コネクタは、第１実施形態に係るカード用コネクタ１におけるレバー１１および可動導電部１５に替えて、図８−１，図８−２に示すレバー５０および可動導電部５１を備えている。
【００５１】
トーションスプリング１４と可動導電部５１とは別体である。可動導電部５１は、レバー５０の長手方向に沿って延びた支持板部５２を有する。この支持板部５２の一端側には組付け孔５２ａが形成されている。支持板部５２は、その組付け孔５２ａに軸部１１ｃが挿入された状態で、トーションスプリング１４のコイル部１４ａとレバー５０との間に配置されている。支持板部５２の他端からは、可動導電部本体５３が延びている。この可動導電部本体５３は、支持板部５２側の端部を固定端として上下方向に可撓な片持ち梁状の板バネである。また、この可動導電部本体５３は、ハウジング本体３の底部３ａ側（下側）を山折り側として屈曲していて、図示しないが、頂部５３ａでハウジング本体３の底部３ａに接触する。その頂部５３ａは可動導電部本体５３の弾性によりハウジング本体３の底部３ａ側に押し付けられている。
【００５２】
レバー５０は、長手方向における軸挿入部１１ａ側と反対側の端部に、下方向に突出した係止突起５０ａを有する。可動導電部本体５３の支持板部５２側とは反対側の端部には、係止突起５０ａに対して前方で隣接する被係止部５４が形成されている。可動導電部５１は、係止突起５０ａにより被係止部５４の後方向の移動が係止されることで、軸部１１ｃ周りの後方向の回動が阻止された状態となっている。
【００５３】
また、レバー５０は、係止突起５０ａと軸部１１ｃとの間に組付け突起５０ｂ，５０ｃを有する。組付け突起５０ｂは可動導電部本体５１に前方から接触して位置し、組付け突起５０ｃは組付け孔５２ａに挿入されている。これらの組付け突起５０ｂ，５０ｃにより、可動導電部５１の軸部周りの前方向への回動、および、レバー５０の長手方向に対して捻じれる方向の可動導電部５１のがたつきが防止されている。
【００５４】
可動導電部５１の支持板部５２には、下方向に突出してトーションスプリング１４の腕部１４ｃに後方から接触して位置する係止部５２ｂが形成されている。この係止部５２ｂはトーションスプリング１４の腕部１４ｃをトーションスプリング１４の弾性力に抗して係止する、つまり、トーションスプリング１４のレバー５０に対する後方向への回動を係止する。
【００５５】
このように構成された第２実施形態に係るカード用コネクタによれば、レバー５０にトーションスプリング１４の腕部１４ｃに対する係止部を設けなくて済む。また、可動導電部５１の係止部５２ｂにトーションスプリング１４の腕部１４ｃがトーションスプリング１４の弾性力により押し付けられるので、可動導電部５１とトーションスプリング１４とを確実に導通させることができる。さらに、可動導電部５１とトーションスプリング１４とを導通させるための部材を必要としないので、部品点数の削減に貢献できる。
【００５６】
〔第３実施形態〕
本発明の第３実施形態に係るカード用コネクタについて図９−１，図９−２を用いて説明する。図９−１は本発明の第３実施形態に係るカード用コネクタに備えられたレバーとトーションスプリングと可動導電部材との組立物の上面図である。図９−２は図９−１に示した組立物の右後斜め下方から見たときの斜視図である。
【００５７】
第３実施形態に係るカード用コネクタは、第１実施形態に係るカード用コネクタ１におけるレバー１１および可動導電部１５に替えて、図９−１，図９−２に示すレバー６０および可動導電部６１を備えている。
【００５８】
第３実施形態でもトーションスプリング１４と可動導電部６１とは別体である。可動導電部６１は、レバー６０の長手方向に沿って延びた支持板部６２を有する。この支持板部６２の一端側には組付け孔６２ａが形成されている。支持板部６２はレバー６０に対し、トーションスプリング１４のコイル部１４ａから下方に突出した軸部１１ｃに挿入され、コイル部１４ａとハウジング本体３の底部３ａとの間に配置されている。支持板部６２には上方向に突出した圧入部６２ｂが形成されていて、この圧入部６２ｂがレバー６０に形成された圧入孔６０ａに圧入されることによって、支持板部６２はレバー６０に固着されている。
【００５９】
支持板部６２の圧入部６２ｂよりも他端側は、斜め上方向に屈曲している。支持板部６２の他端からは可動導電部本体６３が延びている。この可動導電部本体６３は、可動導電部本体６３は、支持板部６２側の端部を固定端として上下方向に可撓な片持ち梁状の板バネである。また、この可動導電部本体６３の自由端には、下方向に突出した凸曲面６３ａが形成されている。図示しないが、可動導電部本体６３は、その凸曲面６３ａの頂部６３ａ１でハウジング本体３の底部３ａに接触する。その頂部６３ａ１は可動導電部本体６３の弾性によりハウジング本体３の底部３ａ側に押し付けられている。
【００６０】
可動導電部６１の支持板部６２は、組付け孔６２ａと圧入部６２ｂとの間に、上方向に突出してトーションスプリング１４の腕部１４ｃに後方から接触して位置する係止部６２ｃが形成されている。この係止部６２ｃはトーションスプリング１４の腕部１４ｃをトーションスプリング１４の弾性力に抗して係止する、つまり、トーションスプリング１４のレバー５０に対する後方向への回動を係止する。
【００６１】
このように構成された第３実施形態に係るカード用コネクタによれば、レバー６０にトーションスプリング１４の腕部１４ｃに対する係止部を設けなくて済む。また、可動導電部６１の係止部６２ｃにトーションスプリング１４の腕部１４ｃがトーションスプリング１４の弾性力により押し付けられるので、可動導電部６１とトーションスプリング１４とを確実に導通させることができる。さらに、可動導電部６１とトーションスプリング１４とを導通させるための部材を必要としないので、部品点数の削減に貢献できる。
【図面の簡単な説明】
【００６２】
【図１】本発明の第１実施形態に係るカード用コネクタの右後斜め上方から見たときの斜視図である。
【図２】図１に示したカード用コネクタからカバーを取り除いた状態の上面図である。
【図３】図２に示した検知スイッチおよびその周辺を左前斜め上方から見たときの拡大斜視図である。
【図４−１】図２に示したレバーおよびトーションスプリングの組立物の上面拡大図である。
【図４−２】図４−１に示した組立物の背面図である。
【図４−３】図４−１に示した組立物を右後斜め下方から見た状態の斜視図である。
【図５】図２に示したカード用コネクタからレバーおよびトーションスプリングを取り除いた状態の上面図である。
【図６−１】図２に示したカード用コネクタからレバーを取り除いた状態であって可動導電部が後方の第２固定導電部に接触した状態の拡大上面図である。
【図６−２】図２に示したカード用コネクタからレバーを取り除いた状態であって可動導電部が後方の第２固定導電部と前方の第２固定導電部との間の絶縁部に接触した状態の上面図である。
【図６−３】図２に示したカード用コネクタからレバーを取り除いた状態であって可動導電部が前方の第２固定導電部に接触した状態の拡大上面図である。
【図７−１】カードがハウジングの排出位置にある状態を示す図２に対応する上面図である。
【図７−２】カードがハウジングの挿入の限界位置にある状態を示す図２に対応する上面図である。
【図７−３】カードがハウジングの装着位置にある状態を示す図２に対応する上面図である。
【図８−１】本発明の第２実施形態に係るカード用コネクタに備えられたレバーとトーションスプリングと可動導電部材との組立物の上面図である。
【図８−２】図８−１に示した組立物の右後斜め下方から見たときの斜視図である。
【図９−１】本発明の第３実施形態に係るカード用コネクタに備えられたレバーとトーションスプリングと可動導電部材との組立物の上面図である。
【図９−２】図９−１に示した組立物の右後斜め下方から見たときの斜視図である。
【符号の説明】
【００６３】
１  カード用コネクタ
２  ハウジング
２ａ  挿入口
３  ハウジング本体
３ａ  底部
４  カバー部材
５  端子列
１０  検知スイッチ
１１  レバー
１１ａ  軸挿入部
１１ｂ  鍔部
１１ｃ  軸部
１１ｄ  規制部
１２  回動軸部
１３  阻止部
１４  トーションスプリング
１４ａ  コイル部
１４ｂ  腕部
１４ｃ  腕部１４ｃ
１５  可動導電部
１５ａ  頂部
１６  第１固定導電部
１７Ａ，１７Ｂ  第２固定導電部
１８  絶縁部
１９  可動範囲規定部
２０，２１，２２  外部端子
３０  排出機構
３１  スライダ
３１ａ  被押圧操作部
３２  復帰バネ
３３  ハート型カム機構
３３ａ  ハート型カム溝
３３ｂ  回動ピン
３４  板バネ部
４０  カード
５０  レバー
５０ａ  係止突起
５０ｂ，５０ｃ  組付け突起
５１  可動導電部
５２  支持板部
５２ａ  組付け孔
５２ｂ  係止部
５３  可動導電部本体
５３ａ  頂部
５４  被係止部
６０  レバー
６０ａ  圧入孔
６１  可動導電部
６２  支持板部
６２ａ  組付け孔
６２ｂ  圧入部
６２ｃ  係止部
６３  可動導電部本体
６３ａ  凸曲面
６３ａ１  頂部
【図１】
2010015876.tif 000003
【図２】
2010015876.tif 000004
【図３】
2010015876.tif 000005
【図４−１】
2010015876.tif 000006
【図４−２】
2010015876.tif 000007
【図４−３】
2010015876.tif 000008
【図５】
2010015876.tif 000009
【図６−１】
2010015876.tif 000010
【図６−２】
2010015876.tif 000011
【図６−３】
2010015876.tif 000012
【図７−１】
2010015876.tif 000013
【図７−２】
2010015876.tif 000014
【図７−３】
2010015876.tif 000015
【図８−１】
2010015876.tif 000016
【図８−２】
2010015876.tif 000017
【図９−１】
2010015876.tif 000018
【図９−２】
2010015876.tif 000019